(57)【要約】強調する方法は、各色要素の相対的な等級を決定する。それは、各色要素の決定された相対等級の関数として一つ以上の色の等級を選択して調節する。調節の種類と量とは、相対的な等級の差の関数となっている。一つ以上の等級は、相対的な等級を変更するために調節される。一般的に、減法の色空間における差は、最低と中間の等級色間の差となっている。更に、一般的に、最低の原色要素は弱められる。
2004531097.tif 000002
【特許請求の範囲】
【請求項１】
色処理システムにおいて色を強調する方法であって：色分離の各原色要素の相対的な等級を決定する工程と；最低の原色要素に対する中間の原色要素の等級の差を決定する工程と；最低の原色要素に対して中間の原色要素の決定された差の関数として一つ以上の色要素の等級を選択して調節する工程とを有していることを特徴とする色を強調する方法。
【請求項２】
調節は、差の相対的な等級に比例して行われる請求項１記載の方法。
【請求項３】
色要素の等級は、等級差が所定値より上の場合にのみ調節される請求項１記載の方法。
【請求項４】
最低の原色要素の色は、選択と調節のために使用される請求項１記載の方法。
【請求項５】
等級は、最高と最低の等級の色要素の間の相対的な等級を高めるために調節される請求項１記載の方法。
【請求項６】
色要素は、決定工程の前に第一の色空間から原色の色空間に変換され、また調節工程の後に第一の色空間に原色の色空間から変換戻しされる請求項１記載の方法。
【請求項７】
決定工程と選択工程を原色の色空間から第一の色空間に変換する工程と；第一の色空間において調節工程を実行する工程とを有している請求項１記載の方法。
【請求項８】
処理は、画素ベースで実行される請求項１記載の方法。
【請求項９】
処理は、領域ベースで実行される請求項１記載の方法。
【請求項１０】
処理は、信号処理装置で実行される請求項１記載の方法。
【請求項１１】
画像がカラーで表示されるようにするために入力信号を受信する色処理システムであって、該システムは、信号処理装置を有しており、また、そこで該信号処理装置は：入力信号から色分離を受信するか、又は引き出し；その色分離の各色の相対的な等級を決定し；最低の原色要素に対する中間の原色要素の等級の差を決定し；また最低の原色要素に対して中間の原色要素の決定された差の関数として、一つ以上の色要素の等級を選択して調節することを特徴とする色処理システム。
【請求項１２】
調節は、相対的な等級差に比例して行われる請求項１１記載のシステム。
【請求項１３】
色の等級は、もし等級差が所定値よりも上になっている場合にのみ調節される請求項１１記載のシステム。
【請求項１４】
最低の原色要素の色は、選択と調節のために使用される請求項１１記載のシステム。
【請求項１５】
等級は、最高と最低の等級の色の間の相対的な等級を高めるために調節される請求項１１記載のシステム。
【請求項１６】
処理装置は、色要素を決定工程の前に第一の色空間から原色の色空間に変換し、また調節工程の後に第一の色空間に原色の色空間から変換し戻す請求項１１記載のシステム。
【請求項１７】
決定工程と選択工程を原色の色空間から第一の色空間に変換し；また第一の色空間において調節工程を実行するようにしている請求項１１記載のシステム。
【請求項１８】
処理装置は、画素ベースで作動する請求項１１記載のシステム。
【請求項１９】
処理装置は、領域ベースで作動する請求項１１記載のシステム。
【請求項２０】
色処理システムは、カメラ、ビデオレコーダ、光学スキャナー及びプリンターの内の一つである請求項１１記載のシステム。
【請求項２１】
色処理システムは、画像ディスプレイ、ビデオディスプレイ及びプリンターの内の一つである請求項１１記載のシステム。
【請求項２２】
色空間にエンコードされた、領域から造られた色画像の色を強調する方法であって、該方法は：色空間の各色要素の等級を各領域において検出する工程と；検出された色要素に適用される原色減法の色空間における色要素の相対的な差に基づいて、所定の尺度化関数に従って各領域における色要素の等級を変更する工程を有していることを特徴とする色を強調する方法。
【発明の詳細な説明】
【０００１】
（技術分野）
本発明は、一般に色処理システム、より具体的には色を強調するシステムと色を処理するシステムの構成要素とに関する。
【０００２】
（背景技術）
色処理は、二つの一般的なカテゴリーに、即ち加法表色系として知られている光映写やディスプレイと、減法表色系として知られている顔料や印刷のシステムとに別れる。色修正システムは、オリジナルの素材や、信号伝達や、ディスプレイや印刷処理の限界についてのリーダーやスキャナーにおけるエラーに対して修正を行うために開発されてきた。印刷処理では、インクの移りや物理的な色不連続に対して修正が行われる。画像やビデオのディスプレイでは、基準及び／若しくは嗜好に合わせるために、処理システムにおけるエラーに対して及び／若しくは映像の質や色の変更に対して色修正が行われる。
【０００３】
従来技術のシステム例として、米国特許第４，６７４，９６３号；第５，８８３，９８４号；第６，０５３，６０９号；第６，０５７，９３１号及び第６，０９７，５０１号がある。
【０００４】
ビデオやテレビジョンでは、新しいフォーマットが絶え間なく開発されている。現在の色強調システムは、大小の両方のフォーマットにおいてデジタルカメラやＴＶ、ビデオ及びＨＤＴＶの映像品質の改良を助長するようにしている。デジタルスチールカメラとデジタルビデオカメラは、写真品質を改良するような色々なレベルの強調を誘発するボタンやコマンドを備えることもある。例えば、人はどんよりした曇りの日に写真を撮ることがある。強調ボタンが押されると、画像は明るい日に撮られたように見えることになる。
【０００５】
（発明の開示）
本発明は、目に対してより鮮やかで、色が多様で、興味深く写るように最終の色画像を強調すると共に、より強い色のコントラストを持つと言う構想に指向されている。本発明は、大部分のどんなビデオや印刷の媒体にも適用され得よう。この発明の説明は、一般に印刷産業に関連したシステムとなっているＣＭＹＫの色空間にうまく関連している。ＣＹＭＫは、シアンとマジェンタと黄と黒を表している。これらの色は、原色の赤、黄及び青に関係付けられており、黒は色が存在していないものとして本発明は考えている。ＴＶとビデオは、ＲＧＢ（赤、緑及び青）の色空間を使用している。ここで説明される色強調システムは、加法（光）であろうと減法（インク、ペイント等）であろうと、いずれもの公知の又は新しい色空間やシステムに転換されるものである。
【０００６】
原色は、赤、黄及び青であり、またそれらの組み合わせである。虹色は、一般に鮮やかで明るい色と考えられており、また原色か、又は減法の色空間において或る比率／百分率で混合される二つの原色のいずれかとなっている。減法原色の色空間又は処理では、最低の百分率の第三の色要素の百分率が増大するに従って、全体の色はより濁ってくるものであり、結局灰色及び／若しくは茶色の色合いとなる。このことは、直接的に色空間の転換を通して加法の色処理や色空間に関連している。
【０００７】
画像における或る領域は、実質的に同じ色を持った、別言すれば同じ色要素等級を持った画像における一組の隣接した画素となっている。通常のスキルを有した実務家は、隣接した画素が実質的に同じ色要素等級を有しているので或る領域における全ての画素に対して一度だけ強調関数を決めることによって本発明の利益が得られることを認めることになる。従って、本発明は、画素毎をベースにして（その場合、強調関数は各画素に対して個別に算定されて適用される）、又は領域毎をベースにして（その場合、関数は画像の領域に対して算定され、その同じ関数がその領域の各画素に適用される）画像に適用されることになる。このシステムにおける全画像の全体に渡る強調は、画像に渡って色的にリニアな関係にはなっていない。
【０００８】
本システムは、各色要素の相対的な等級を決定する。それは、一つ以上の色の等級を各色要素の決定された相対的な等級の関数として選択して調整する。その調節の種類と量は、相対的な等級の差の関数となっている。一つ以上の等級は、相対的な等級を変えるために調節される。一般的に、減法の色空間における差は最低と中間の等級色間の差となっている。更に一般的には、最低の原色要素は弱められる。ＣＭＹ（Ｋ）では、もし、ただ二つの色のみが調査されている領域や画素に存在していれば、何ら調節は行われない。黒（Ｋ）は、最初の強調工程では色として考慮されていない。
【０００９】
本発明の他の目的や、長所や、新規な特徴は、添付図面と関連して考慮すると、本発明の次の詳細な説明から明らかになる。
【００１０】
（発明を実施するための最良の形態）
この発明の核心は、減法の原色から、またそのために開発されたものである。しかし、本システムは、数学的な色空間変換を通して加法と減法の両方の色空間において機能するものである。
【００１１】
本発明は、２つのモードで使用される。第１モードでは、要素の色が原色の色空間に転換されると共に強調関数がその原色の色空間に適用されるので、いずれかの色空間を使用して画像はエンコードされる。結果的に得られる画像は、オリジナルの色空間に転換戻しされる。代わりに、第２モードでは、強調関数は原色空間で決定され、次いで強調関数は、画像が転換される必要のないようにいずれかの他の色空間に変換され−−その転換された関数は、画像の色空間において画像に適用される。
【００１２】
このような手段によって、通常のスキルを有した実務家は、いずれのモードも理論的に等しいことを認めることになるが、しかし、後者が好まれ、それで画像を原色の色空間に対して出入りの転換を行うことによる（数字の丸め等による）データ損失が回避される。本発明は、いずれの色空間でも等しく使用されるが、幾つかの色空間のスキームに色の黒を使用するには特別の注意を要する。
【００１３】
ＲＹＢは、理想的な色空間であり、本発明の実施を説明するのに使われるＣＭＹ（Ｋ）と共に本発明の構想を説明するのに使用される。
【００１４】
本システムは、色の間の相対差に着目して、関数に基づいた修正を行うものである。ＣＭＹＫでは、Ｋの黒は、初期の関数では調節されない。しかし、黒は依然として色百分率の一部となっていなければならず、その結果、ＣＭＹＫからＲＧＢへの転換は正確である。全ての三色のＣＭＹ（Ｋ）が色において実質的に等しい場合、それらは色において『ダーティ（濁り）』である。色の間の百分率における差が大きくなればなる程、より大きな百分率の原色がより支配的になる。三色の内の最低の等級値の色は、組み合わせにより他の二つの色をパステルカラーを濁らせ、灰色にしたり、茶色にしたり、感知されるコントラスト不足や鮮やかさ不足を起こしたり、感知される鋭さを不足させる。本発明は、より高い色のコントラストを作りだし、よりシャープにし、よりクリアな映像や色とし、また三色や画素毎の又は領域毎の低下作用を低減する。注目すべきことは、強調の調節は、三色の内の一つ以上に対して行われる点である。
【００１５】
変換は、大部分の色空間の間に存在しているが、それらは、必ずしも完全ではなく、また色空間へのまた色空間からの転換の際にある程度の色情報の損失が起きる。
【００１６】
ＣＭＹＫは、色が原色に近いために、またそれが共通して使用される減法色空間になっているために、このシステムのための減法色空間として使用される。しかし、ＣＭＹＫ色空間におけるマジェンタは青の要素を有しているので、マジェンタについての扱いは二つの色（赤と青）に影響するが、一つの色（赤）には影響しない。このシステムにとって好適な色空間は、原色のＣＲＹ（Ｋ）又は色空間のＲＹＢ（Ｋ）からなる新しい原色の色空間となるであろう。これらは現在のところ減法システムでは利用できないので、本発明はＣＭＹＫとＲＧＢに対しても説明される。ＲＧＢとＣＭＹＫの色空間は、直接的な数学的関係を互いに知り合ってきている。
【００１７】
個々の色要素について、集合値を含んだ画素は、Ｃ、Ｍ、Ｙ及びＫに対して百分率の等級で分析される。通常、このことはＲＧＢで行われる。減法色空間における最小値の色要素の値は、次の等式の一つに基づいている：
（ａ）％ＭＩＮＮｅｗ＝［１００％−（％ＭＩＤ−％ＭＩＮ）］×％ＭＩＮ
但し：
ＭＩＮは、最小百分率値を有した画素又は領域における色要素であり；
ＭＩＤは、中間百分率値を有した画素又は領域における色要素であり、
ＭＡＸは、最大百分率値を有した画素又は領域における色要素であり、また
ＭＩＮＮｅｗは、強調された最小百分率値の色要素であり；
又は
（ｂ）％ＭＩＮＮｅｗ＝［１００％−（％ＭＩＤ−％ＭＩＮ）×ｆ（ＣＣ）］×％ＭＩＮ
但し、ｆ（ＣＣ）は、変更の又は尺度化の関数である。
【００１８】
変更の又は尺度化の関数ｆ（ＣＣ）は、もしＭＩＤとＭＩＮとの間の差が非常に小さい場合にはゼロになるだろう。変更関数ｆ（ＣＣ）は、更に、存在している色要素のいずれかの関数として又は色要素の特定の百分率関係として差によって表された調節を増大もしたり、減少もしたり、変更もするであろう。
【００１９】
最小色要素ＭＩＮを減少する代わりに、最大色要素ＭＡＸは増大される。また更に、ＭＩＮの減少とＭＡＸの増大の両方も行われよう。全ての調節は、次の公式によって反映されるように差ＭＩＤ−ＭＩＮの関数となっている：
（ｄ）％ＭＡＸｎｅｗ＝ＭＡＸ×ｆｍａｘ（ＭＩＤ−ＭＩＮ）
（ｅ）％ＭＩＤｎｅｗ＝ＭＩＤ×ｆｍｉｄ（ＭＩＤ−ＭＩＮ）
（ｆ）％ＭＩＮｎｅｗ＝ＭＩＮ×ｆｍｉｎ（ＭＩＤ−ＭＩＮ）
【００２０】
関数又はそれに相当するものは、二つの最低百分率の色要素値間の差に基づいて一つ以上の要素色値を変更する。これは、転換を利用していずれかの他の色空間に転換される。
【００２１】
明るさを予め処理された画像に接近して維持するために、全ての色要素への付加的な調節が、その際に、生じる初期量調節に依存して行われる。オリジナルの明るさを維持したり、又は明るさを変更するために、一旦関数が算定される度に全ての要素が変更される。
【００２２】
一般に、非線形関数を含んだいずれかの種類の尺度化関数も、色要素値のいずれかの組み合わせに基づいて適用されるでしょう。幾つかの状況によって、例えば等式（ｂ）に関して説明したように、多かれ少なかれ尺度化が起きる必要があるだろう。これは、更に等式（ｄ）〜（ｆ）にも当てはまる。
【００２３】
強調は、参照表に基づいて均等に実施されるだろう。新しい色要素値は、オリジナルの色要素値をその表のものに合わせて、その色要素組に対してその表から新しい色要素値を読み取ることで決定される。
【００２４】
他の規則と関数は、幾つかの色合いと他の濁った、鈍い又は低い強度の色彩とが変更されることのないように適用される。色強調のゴールは、尺度化関数を介して変えられて、例えば特定の色の鈍さを維持すると共に幾つかの選択された色彩をより明るくしたり、又はより強くしたり、又は一方の原色をもう一つ別のものよりも増やしたり、減らすことで幾つかの色を事実上変えたりするものである。等式（ｂ）〜（ｆ）に関して説明された通りである。
【００２５】
図１は、媒体１４上に画像１２としてカラーイメージ１０を再生するための色処理システム２０を図解している。もし、これが印刷処理であれば、その場合媒体１４は、印刷が行われる対象物となる。もし、それがテレビジョンやＣＲＴのような表示装置であれば、その場合媒体１４は、ディスプレイとなる。カラー印刷システム２０は、一般に画像１２の入力信号をカラーセパレータ２４に与えるレンズ２２を有している。カラーセパレータ２４は、最少で３色の、この例では４色の信号を信号処理装置２６に与える。信号処理装置２６は、次に、それがプリンターなのか、又は光学プロジェクターなのかに応じて適切な駆動信号をプロジェクターやプリンター２８に与える。
【００２６】
四台のプロジェクター／プリンターが図示されているが、しかし他のプロジェクターやプリンターも処理される色の数に応じて使用されるでしょう。例えば、それは三色加法システムや、四色セパレーションシステムや、又は六色システムとすることができる。
【００２７】
色処理システム２０は、色信号を処理するための要素の組み合わせとして考えられている。例えば、レンズ２２は、画素を所定の色空間の色要素へと色分離するカラーエンコードシステム２４にカラーイメージを導く構成とできよう。エンコードされた画像情報は、色強調に影響する尺度化関数を適用すると共に更に色空間の変換にも適用する信号処理装置２６に与えられる。信号処理が完了すると、画像情報は、プロジェクター／プリンター２８に転送され、光映写やインク印刷システムや他の再結合方法のいずれかを介して色要素を再結合し、処理された画像１２を形成する。
【００２８】
本方法の色強調は、信号処理装置で行われ得るものであり、またオリジナルのカメラやスキャナーの一部分でも構成され、及び／若しくはプロジェクターやプリンター用に信号処理装置２６でも行われよう。その信号処理装置２６は、本発明を組み込むために変更された公知の信号修正ソフトウェアを備えることもできる。
【００２９】
本方法は、カラーフォーマットのＬＣＨ、ＨＬＳ、ＹＵＶ、ＨＳＶ、ＨＬＳ及びＣＩＥ−ＬＵＶを有した他の色分離に適用可能な原理で、例えばＣＭＹＫの四色分離システムについて説明される。これらシステムの幾つかは、色相（Ｈ）、彩度（Ｓ）、輝度又は明度（Ｌ、Ｙ）及び三要素色システムのクロミナンス（Ｃ）又は差（Ｕ、Ｖ）の異なったフォームを取り扱っている。彩度は色の強さの度合いである。色相も色の名前として知られているものであり、また輝度は明るさ／暗さの度合いである。
【００３０】
図２では、ホイールの外側のいずれの色も鮮やかであり及び／若しくは純粋であることに注目すること。ホイールの外側のいずれの色も虹の中のように一つの原色又は二つの原色の組合わせのいずれかとなっている。もし、何らかの量の第三原色がホイールの外側に加えられると、色は濁りだし、鮮やかさが少なくなり、ホイールの内部へと移行する。それが中心に近付くに従って、それは、その要素色に応じて濁った灰色か茶色になる。最終的には、その色要素の百分率が大きくなって、ほぼ等しくなると、色はホイールの中心の濁った灰色となる。
【００３１】
図３のホイールは、立体のカラーシリンダー（『カラーパイプ』）を切った１００％のスライスであり、その表面は周囲に沿って等しく間隔の開けられた三原色の赤と黄と青を有している。カラーシリンダーのスライスは、そのシリンダーの一方端における０％から他方端における１００％まで強度が及んでいる。図６はカラーパイプの構想図を示している。
【００３２】
カラーパイプ上に示された百分率は、三原色のいずれかの最大値を表している。かくして、もし赤が８０％で最大の色であれば、カラーホイールはカラーパイプの８０％のホイールとなるであろう。
【００３３】
パイプとホイールの表示は、この発明の基本を成す原理を図解するものである。カラーホイールの外側にあるためには、一つの色は図３の１００％スライスに対して１００％のところとなり、第２の色はいずれかの百分率となるが、しかし、第３の色は０％のところでなければならない。原色の赤、黄、青の内の二つよりも多く含んでいるいずれかの多要素色は、『カラーパイプ』の内側になければならず、また表面上にあってはならない。円内の色は、濁って見え、茶色と灰色の色調を有している。
【００３４】
ホイールの中心と外側との間で増加する尺度化関数Ｓ１が示されている。この関数は、第三色がホイールの外側に接近するに従って、その最小の第三色の寄与を徐々に減らす。一組の尺度化関数の調節Ｓ２、Ｓ３、Ｓ４も示されている。それらは、色が濁った状態から、例えば純粋な状態に向かって移行するに従って尺度化関数が変化するのを図解している。Ｓ２は、純粋な色に近いオリジナルの色に対する調節を示している。Ｓ３とＳ４は、追加のより小さな調節を示している。
【００３５】
矢印は、全部の色が円の外側の鮮やかな部分に向かって移行するように全部の色要素値を変更する尺度化関数を使用したいずれかの色要素の値の調節を示している。尺度化関数は、色要素値間の差に基づいている。矢印の長さは、一例の尺度化関数に対する相対的な調節を表している。強調量は、その画素の強調に対する矢印長さに直接関係している。色がホイールの外側に近くなればなる程、それはホイールの外側の鮮やかで純粋な色に向かって更に強調されることになる。
【００３６】
調節がただ一つの色要素のものとなっているので、Ｓ１、Ｓ２、Ｓ３及びＳ４は半径として図示されている。もし、一つより多い色要素に変更が行われれば、その結果は、関数応じてＳ５によって図示されているように半径とはならないであろう。この例の尺度化関数Ｓ５は、原色の一つに好都合な湾曲した調節を図示している。尺度化関数は、カラーパイプにおいていずれのディメンションでも変化する。更に、周囲に移行して、色や色彩を変える尺度化関数も使用されよう。このことは、三色の内の二つを変えることで結果的に生じる。カラーパイプとホイールも、更に、白／黒の第四のディメンション（図示されていない）も有している。第四のディメンションは、或る程度の無彩色の灰色（黒を白に）によってパイプ／ホイールでどんな色でも明るくしたり、又は暗く／鈍くしたりするために或る量の白又は黒を加える。パイプ／ホイールのディメンションは、赤、黄、青及び黒である。
【００３７】
ＣＭＹＫの表色系について図４に図解されている例では、オリジナルの値が、要素色の各々に対する彩度の百分率として一つの縦欄に示されている。黒又はＫは、それが調節を決定するために使用されないし、またそれが調節もされていないので、明瞭化のために図示されて来なかた。図４における次の段階中に、例えば、強調された／調節された数が第三縦欄に図示されており、また最後の縦欄は、強調の百分率を示している。この例では、中間と最低の色等級間の差が採取されており、この差は、強調の百分率係数となっている。
【００３８】
例えば、Ｃ＝９０、Ｍ＝１０、Ｙ＝１０を有した色０００１に対する単純な％の尺度化関数については、ＭとＹの間の差はゼロであり、また従って、最低色に対してゼロ％の調節が存在している。代わりに、ＭとＹの両方がＣを濁すので、ＭとＹの両方は、同じ量だけ低減されよう。
【００３９】
Ｃ＝９０、Ｍ＝２０、Ｙ＝１０を有した色０００２に対しては、ＭとＹの間の差は、第三色のＹが１０から９へ１０％だけ低減されるように１０となっている。色０３０６に対しては、Ｃ＝５０、Ｍ＝２０、Ｙ＝８０は、Ｃ＝５０、Ｍ＝１４、Ｙ＝８０となる。ＣとＭの間の差は３０であり、従って、最低百分率の色Ｍには３０％の低下が存在している。色００６５に対しては、百分率はＣ＝９０、Ｍ＝７０、Ｙ＝２７となっている。中間色のＭと最低色のＹとの間の差は４３であり、それでＹは今度は１４になる。かくして、この色の『濁り』は、この関数を使用して約半分だけ低減している。このシステムの方法は、図５に示されているように公知の転換によっていずれかの他の表色系に転換される。
【００４０】
本システムでは、なんら特定の色が調節されないが、しかし、三色の内の最低のものは、等級が下方に調節されるものである。このシステムは、灰色と茶色とパステルとが変化しないか、又は殆ど変化しないように作用する。色が、シアン、マジェンタ及びイエローに対して、例えば７０％の灰色−茶色の場合、最小の色百分率間に差が存在していないので、なんら強調は行われない。
【００４１】
最低色の百分率を低減するものとして例が示されているが、他の色要素も調節されるであろう。例えば、最高のものは、それ自身によって、又は最低のものの低下と組み合わせて増大されるであろう。更に、中間色も高められる。これらの全ては、第三の色又は最低の色の作用又は寄与を弱める。
【００４２】
以前に記載したように、変更されたり、変更されないような或る一定の組み合わせが存在している。例えば、色２５０のＹ＝６０及びＭ＝５５は、ほんの５％だけ相違している。この色は、本方法を使用して５５を５％だけ低下させることによって実質的により強く又は鮮やかにはならないであろう。かくして、この色は、尺度化関数を変えることでその現在の状態に留まることができるであろう。
【００４３】
更に、等式（ｂ）〜（ｆ）について説明したように、その色や、他の色の要素情報の百分率のオーダに応じて、尺度化関数は、色要素の中間と最低の百分率の数値差を変更するであろう。原色は、異なった度合いの濁りを有している。青は、例えば黄よりも更に寄与する赤よりも、更に濁りに寄与する。かくして、もし、青が最低百分率の色要素であれば、それは、赤又は黄が最低百分率の色要素であった場合よりも更に低減されることになる。
【００４４】
図５は、図４のＣＭＹＫの表色系の色強調をＲＧＢの表色系へ変換する場合を示している。この変換は、いずれの公知の変換も使用されるが、アドビ・フォトショップを使用して実施された。図５のレビューは、両方の表色系における最高と最低の等級色間の相対的な等級の上昇を示している。修正されたＣＭＹＫのＲＧＢへの転換が図解されているが、本方法は、異なった転換関数を使用するか、又は強調関数を転換して、またＲＧＢにおける色変更を行ってＲＧＢ表色系で使用されるであろう。同様なことは、他の色空間に対しても当てはまる。
【００４５】
本表色系は、この処理が新しい種類の色修正になると期待されているが、色強調の表色系であって、色修正の表色系ではないと考えられている。色修正は、印刷されたり、表示される色が修正されてオリジナルの画像と同じになるということを暗に意味している。
【００４６】
本方法と表色系は、計測されて調節されるパラメータとして色要素の振幅を使用してきた。表色系の他のパラメータは、相対的な計測と調節のために使用されるであろう。それらは、色彩、色相、彩度、輝度、クロミナンス、焦点、又はいずれかの他のビデオ制御のいずれかを有することができよう。
【００４７】
本発明は、詳細に説明され且つ図解されてきたが、同様のことは図解と例によってのみ行われて、限定的に捉えられるべきでないことは明らかに理解されるべきである。本発明の精神と技術的範囲は、添付されたものの術語によってのみ限定されるべきである。
【図面の簡単な説明】
【図１】
本発明が組み込まれている色処理システムである。
【図２】
減法の色空間のカラーホイールである。
【図３】
尺度化関数を備えた図６のカラーパイプからのＲＹＢ用の単一のスライスカラーホイールである。
【図４】
オリジナル色を強調された色に相関させるＣＭＹＫにおける参照表である。
【図５】
図４の表色系の第二表色系に対する関係を示した転換表である。
【図６】
カラーパイプの構想図である。
【図１】
2004531097.tif 000003
【図２】
2004531097.tif 000004
【図３】
2004531097.tif 000005
【図４】
2004531097.tif 000006
【図５】
2004531097.tif 000007
【図６】
2004531097.tif 000008
【国際公開パンフレット】
2004531097.tif 000009
2004531097.tif 000010
2004531097.tif 000011
2004531097.tif 000012
2004531097.tif 000013
2004531097.tif 000014
2004531097.tif 000015
2004531097.tif 000016
2004531097.tif 000017
2004531097.tif 000018
2004531097.tif 000019
2004531097.tif 000020
2004531097.tif 000021
2004531097.tif 000022
2004531097.tif 000023
2004531097.tif 000024
2004531097.tif 000025
2004531097.tif 000026
2004531097.tif 000027
2004531097.tif 000028
2004531097.tif 000029
2004531097.tif 000030
2004531097.tif 000031
2004531097.tif 000032
2004531097.tif 000033
2004531097.tif 000034
【国際公開パンフレット（コレクトバージョン）】
2004531097.tif 000035
【国際公開パンフレット（コレクトバージョン）】
2004531097.tif 000036
【国際調査報告】
2004531097.tif 000037
2004531097.tif 000038